(57)【要約】  本発明は、資料を保管及び整理するための物品を製造する方法に関する。１つの方法には、（１）周辺により画定される形状が実質的に類似する第一及び第二のパネルを用意する工程であって、ここで、各パネルは表裏をなす内側及び外側の面を有する、第一及び第二のパネルを用意する工程と、（２）第一のパネルに開口部を切り込む工程と、（３）両パネルの内側の面が相互に近接するように、第一と第二のパネルをその周辺に沿って付着させる工程と、（４）第二のパネルの外側の面の少なくとも一部の上に位置換え可能な接着剤を適用する工程とが含まれる。
2009519850.tif 000002
【特許請求の範囲】
【請求項１】
資料を保管及び整理するための物品を製造する方法であって、前記方法が、
周辺により画定される形状が実質的に類似する第一及び第二パネルを提供する工程と、
ここで、各パネルは表裏をなす内側及び外側の面を有する
前記第一パネルに開口部を切り込む工程と、
前記第一パネルの前記内側の面が前記第二のパネルの前記内側の面に近接するように、前記第一パネルと第二パネルとをそれらの周辺に沿って付着させる工程と、
前記第二パネルの前記外側の面の少なくとも一部の上に位置換え可能な接着剤を適用する工程と、
を含む方法。
【請求項２】
資料を保管及び整理するための物品を製造する方法であって、前記方法が、
接合された第一及び第二パネルを有する材料のシートを用意する工程と、
ここで、前記第一パネルは前記第二パネルの第二の周辺の鏡像である第一の周辺を有
し、各パネルは表裏をなす内側及び外側の面を有する、
前記第一パネルに開口部を切り込む工程と、
前記第一の周辺が前記第二の周辺に位置合わせされ、そして前記第一パネルの前記内側の面が前記第二のパネルの前記内側の面に近接するように、前記シートを折り畳む工程と、
前記第一と第二パネルとをそれらの周辺に沿って付着させる工程と、
前記第二パネルの前記外側の面の少なくとも一部の上に接着剤を適用する工程と、
を含む方法。
【請求項３】
資料を保管及び整理するための物品を製造する方法であって、該方法が、
接合された第一及び第二パネルを有する材料のシートを用意する工程と、
ここで、前記第一パネルは前記第二パネルの第二の周辺の鏡像である第一の周辺を有
し、各パネルは表裏をなす内側及び外側の面を有し、そして前記第一パネルはその周
辺から延びるフラップを更に含む、
前記第一パネルの一部を切って自由縁部（free lip）を作り出す工程と、
前記第一パネルの前記周辺が前記第二パネルの前記周辺に位置合わせされ、そして前記第一パネルの前記内側の面が前記第二のパネルの前記内側の面に近接するように、前記シートを折り畳む工程と、
前記外側の面の周り及び前記第二パネルの前記周辺に沿って、前記フラップを折り曲げて付着させる工程と、
前記第二のパネルの前記外側の面の少なくとも一部の上に位置換え可能な接着剤を適用する工程と、
を含む方法。
【請求項４】
前記第一及び第二パネルが、紙、プラスチック、キャンバス、不織布、布地、金属系フィルム、及びこれらの組み合わせから成る群から選択される、請求項１〜３に記載の方法。
【請求項５】
前記第一及び第二パネルが、接着手段、機械的手段、超音波溶接手段、積層手段、縫い手段、及びこれらの組み合わせから成る群から選択される手段によって共に接合される、請求項１〜３に記載の方法。
【請求項６】
前記第一パネルの前記外側の面の上に、描画受容コーティングを施す工程、及び剥離コーティングを施す工程からなる群から選択される少なくとも１つの工程を更に含む、請求項１〜３に記載の方法。
【請求項７】
表裏をなす内側及び外側の面を有し、前記第一及び第二パネルよりも寸法が小さい、第三パネルを用意する工程と、
前記第三パネルに開口部を切り込む工程と、
前記第三パネルの前記内側の面が前記第一パネルの前記外側の面に近接するように、前記第三パネルを前記第一パネルに付着させる工程と、
を更に含む、請求項１〜３に記載の方法。
【請求項８】
ライナーを前記位置換え可能な接着剤に付着させる工程を更に含む、請求項１〜３に記載の方法。
【請求項９】
物品のパッドを形成するために、１つの物品の前記位置換え可能な接着剤が、続く物品の前記第一パネルの前記外側の面に接触するように、前記物品を積み重ねる工程を更に含む、請求項１〜３に記載の方法。
【請求項１０】
前記第二パネルが、前記第一及び第二パネルを付着させる手段を含み、前記付着させる手段が前記第二パネルの前記周辺に沿って配置される、請求項１及び２に記載の方法。
【請求項１１】
前記付着方法が、感圧性接着剤及びホットメルト接着剤から成る群から選択される接着剤のストリップを含む、請求項１０に記載の方法。
【請求項１２】
前記自由縁部を前記第二パネルの前記内側の面に付着させる工程を更に含む、請求項３に記載の方法。
【請求項１３】
資料を保管及び整理するための物品であって、
（ｉ）周辺により画定される形状が実質的に類似する第一及び第二パネルと、
ここで、各パネルが表裏をなす内側及び外側の面を有し、前記第一パネルの前記内側
の面が前記第二パネルの前記内側の面に近接するように、前記パネルがそれらの周辺
に沿って接合されている、
（ｉｉ）前記第一パネルに配置された開口部と、
（ｉｉｉ）前記第二パネルの前記外側の面の少なくとも一部の上に配置された接着剤と、
を含む主ポケット、並びに、
前記主ポケット上に付着された少なくとも１つの付加ポケット、
ここで、前記付加ポケットは、表裏をなす内側及び外側の面を有する第三パネルを含
み、前記第三パネルは前記第一及び第二パネルよりも寸法が小さく、そして前記第三
パネルは、前記第三パネルの前記内側の面が前記第一パネルの前記外側の面に近接す
るように、前記第一のパネル上に配置されている
を含む、物品。
【請求項１４】
前記第一、第二、及び第三パネルが、紙、プラスチック、キャンバス、不織布、布地、金属系フィルム、及びこれらの組み合わせから成る群から選択される、請求項１３に記載の物品。
【請求項１５】
前記第一、第二、及び第三パネルが、接着手段、機械的手段、超音波溶接手段、積層手段、縫い手段、及びこれらの組み合わせから成る群から選択される手段によって共に接合されている、請求項１３に記載の物品。
【請求項１６】
前記パネルの少なくとも１つが、前記パネルの前記外側の面上に、描画受容コーティング、及び剥離コーティングの少なくとも１つを更に含む、請求項１３に記載の物品。
【発明の詳細な説明】
【技術分野】
【０００１】
（関連出願の相互参照）
本出願は、米国特許出願シリアル番号１１／２７５，２０５（２００５年１２月１９日出願）の部分継続であり、その全体を参考として本明細書に組み入れる。
【０００２】
（発明の分野）
本発明は、書類などの資料を保管及び整理するのに有用な物品、包囲体、及びポケットに関する。
【背景技術】
【０００３】
電子技術が隆盛であるのに、今日の消費者は、依然として、管理を必要とする紙書類を有している。実例となる紙書類には、購入した商品に対する領収書、電話及び公共料金の請求書のような公益事業に対する請求書、クーポン、イベントの切符、買い物リストなどが挙げられるが、これらに限定されない。仕事においては、従業員は、管理を必要とする様々な書類を有することがあり、これらには、ファイルを必要とされる書類のような、入ってくる及び出て行く書信、同僚が残した覚え書、未決（in transition）書類が挙げられるが、これらに限定されない。一般に、書類が受け取り時に整理されるとき、後に必要とされる時に書類を整理する又は見つけ出すよりも、大部分の消費者及びワーカーが費やす時間は短くなる。
【０００４】
フラップ付き封筒のような書類整理道具は、フラップが封筒を封止すると、繰返し使用されるにつれて千切れる傾向であるので、使いにくい場合もある。封筒は、安易に置き忘れる、又は文書業務の山の中若しくは引き出しの中で失われる場合もある。
【発明の開示】
【発明が解決しようとする課題】
【０００５】
様々な整理道具が購入可能ではあるが、別の解決策及び道具が必要とされている。
【課題を解決するための手段】
【０００６】
本発明は、一態様において、資料を保管及び整理するための物品を製造する方法に関する。その方法は、（１）周辺により画定される形状が実質的に類似する第一及び第二のパネルを用意する工程と、ここで各パネルは表裏をなす内側及び外側の面を有する、第一及び第二のパネルを用意する工程と、（２）第一のパネルに開口部を切り込んで自由縁部（free lip）を作り出す工程と、（３）第一のパネルの内側の面が第二のパネルの内側の面に近接するように、第一パネルと第二パネルとをそれらの周辺に沿って付着させる工程と、（４）第二のパネルの外側の面の少なくとも一部の上に位置換え可能な接着剤を適用する工程とを含む。
【０００７】
本発明は、別の態様において、資料を保管及び整理するための物品を製造する方法に関する。その方法は、（１）接合された第一及び第二のパネルを有する材料のシートを用意する工程であって、第一のパネルが第二のパネルの第二の周辺の鏡像である第一の周辺を有し、及び各パネルが表裏をなす内側及び外側の面を有する、接合された第一と第二のパネルとを有する材料のシートを用意する工程と、（２）第一の周辺が第二の周辺に位置合わせし、及び第一のパネルの内側の面が前記第二のパネルの内側の面に近接するように、シートを折り畳む工程と、（３）第一のパネルに開口部を切り込む工程と、（４）第一と第二のパネルをそれらの周辺に沿って付着させる工程と、（５）第二のパネルの外側の面の少なくとも一部の上に接着剤を適用する工程とを含む。
【０００８】
本発明は、更に別の態様において、資料を保管及び整理するための物品を製造する方法に関係する。その方法は、（１）接合された第一及び第二のパネルを有する材料のシートを用意する工程であって、第一のパネルが第二のパネルの第二の周辺の鏡像である第一の周辺を有し、各パネルが表裏をなす内側及び外側の面を有し、及び第一のパネルがその周辺から延びるフラップを更に含む、接合された第一及び第二のパネルを有する材料のシートを用意する工程と、（２）第一のパネルの一部を切って自由縁部を作り出す工程と、（３）第一のパネルの周辺が第二のパネルの周辺に位置合わせし、及び第一のパネルの内側の面が前記第二のパネルの内側の面に近接するように、シートを折り畳む工程と、（４）第二のパネルの外側の面の周りに及びその周辺に沿って、フラップを折り曲げて付着させる工程と、（５）第二のパネルの外側の面の少なくとも一部の上に位置換え可能な接着剤を適用する工程とを含む。
【０００９】
本発明は、更に別の態様において、資料を保管及び整理するための物品に関する。その物品は、（１）（ａ）周辺により画定される形状が実質的に類似する第一及び第二のパネルと、ここで各パネルが表裏をなす内側及び外側の面を有し、前記第一のパネルの前記内側の面が前記第二のパネルの前記内側の面に近接するように、前記パネルがそれらの周辺に沿って接合されている、（ｂ）前記第一のパネル内に配置された開口部と（ｃ）前記第二のパネルの前記外側の面の少なくとも一部の上に配置された接着剤とを含む主ポケットと；並びに（２）前記主ポケット上に付着された少なくとも１つの付加ポケット、ここで前記付加ポケットは、表裏をなす内側及び外側の面を有する第三パネルを含み、前記第三パネルは前記第一及び第二パネルよりも寸法が小さく、そして前記第三のパネルは、前記第三パネルの前記内側の面が前記第一のパネルの前記外側の面に近接するように、前記第一のパネル上に配置されている、少なくとも１つの付加ポケットを含む。
【００１０】
本発明の物品は、領収書、請求書、切符、手紙、雑誌、リストなどの書類、並びに筆記用具、紙クリップ、及び位置換え可能なメモ紙などの事務用製品の整理に使用するのに特に適している。その物品は更に、美術的表現を生じさせる、美的魅力を有する、及び／又は機能的実用性を有する、しるし又は図形を包含することができる。使用に際して、消費者は典型的には、ライナー（存在する場合）を物品から取り外して、壁又は冷蔵庫のドアなどの掲示面に付着させ、書類を受け取った時に、その中に整理して保管する。その物品は、（壁などの）垂直面上に、又はホルダー若しくはバインダーなどの水平面上に掲示することができる。新しい週又は新しい月などの異なる持続時間に対して、新しい物品を掲示することができる。その物品は又、指定されたプロジェクト又は指定されたイベントに対して使用することができる。例えば、所得税確定申告時には、そのような物品は、課税年度に対して使用することができ、並びに様々なポケットは、異なるカテゴリーの書類に対して、例えば、源泉徴収票、株売買、配当収入、保育支出、医療支出、住宅金利支払いなどに使用することができる。
【発明を実施するための最良の形態】
【００１１】
図１は、一態様における、資料を整理及び保管するのに有用な物品１０の前側平面図である。図２は、図１の物品の線２−２に沿って見る断面図である。物品は、対向する前側パネル１２及び後ろ側パネル１４を包含し、並びに物品の長さに概ね沿って位置する長手方向軸線（図示せず）を有する。前側パネルは表裏をなす内側の面１２ａ及び外側の面１２ｂを包含する。同様に、後ろ側パネルには、表裏をなす内側の面１４ａ及び外側の面１４ｂが含まれる。開口部２０が、前側パネル内に配置されており、及び開口部を横切る最長寸法である長軸Ｌ２０を有する。開口部を無視すると、両パネルは、パネルの周辺により画定されるほぼ類似形状を有する。
【００１２】
前側と後ろ側のパネルは、上継ぎ目２２ａを形成する上周辺に沿って、下継ぎ目２２ｂを形成する下周辺に沿って、並びに側継ぎ目２２ｃ及び２２ｄを形成する側周辺に沿って、接合されている。継ぎ目は、例えば接着剤１７によるなどの、いずれかの好適な取り付け手段によって、形成することができる。以下で詳細に説明されるように、他の取り付け手段も、使用可能である。取り付け手段の選択は、前側及び後ろ側のパネルを組み立てるのに使用される材料によって決まるものである。取り付け手段は、２つのパネルを共に確実に接合するべきである。図１及び２の実施形態では、開口部は上継ぎ目から離れた前側パネルの完全な内部に配置されている。しかしながら、開口部は、所望の場合、上継ぎ目から、下継ぎ目から、又は側継ぎ目から始まることもできる。
【００１３】
前側パネルは、物品の長手方向軸線にほぼ平行に位置する長軸Ｌ１０を有する。長軸は、前側パネルの最長寸法を定義する。前側パネルには、パネルを横切る最短寸法を定義する短軸が更に含まれてもよい。図１及び２の実施形態では、短軸は、長軸に直交、及び上継ぎ目２２ａにほぼ平行に位置する。この特定の実施形態では、開口部の長軸Ｌ２０は、前側パネルの長軸Ｌ１０より短く、及び前側パネルの短軸より短い。
【００１４】
任意に、前側パネルは、前側パネルの外側の面の一部上又はほぼ全体に配置された、剥離コーティング１３を更に含んでもよい。使用される剥離コーティングは、前側及び後ろ側のパネルに使用される材料と適合性があるべきである。一実施形態では、剥離コーティングは、消費者がパネルに筆記又は描画できる組成のものである。描画技法には、いずれかのディジタルプリンタの使用が含まれることがあるが、これに限定されない。好適な剥離コーティングには、直鎖アルカン誘導体類、ポリジアルキルシロキサン誘導体類、又はフルオロカーボン（fluorocarbon）誘導体類系のものが挙げられる。代表的な１つの剥離コーティングが、米国特許第５，０３２，４６０号（カンター（Kanter）ら）に記載されている。更に別の代表的な剥離コーティングが、米国特許第６，２５１，５１２号（グスタフソン（Gustafson）ら）の全体にわたって開示されており、カラム５の１８行から始まって５２行までの開示など、及び実施例ＲＣ１〜ＲＣ４などの様々な実施例にある。
【００１５】
開口部、前側パネル、及び後ろ側パネルは、単純幾何形状又は不規則形状など、いかなる形状にもすることができる。用語「単純幾何形状」は、一般に、多角形類（矩形、正方形、及び台形などがあるが、これらに限定されない）及びオーバル類（ovals）（円及び楕円などがあるが、これらに限定されない）を意味する。用語「不規則形状」は、一般に、境界を定められた形状を意味しており、それらの形状には、直線及び曲線の組合わせが含まれてもよい。図１及び２に示される実施形態では、前側及び後ろ側のパネルは、矩形であり、開口部は、一般的に楕円形である。以下に記述される様々な実施形態において、他の形状が示される。
【００１６】
物品１０には、後ろ側パネル１４の外側の面１４ｂ上に配置された接着剤１６が更に含まれる。一実施形態では、物品には、接着剤を保護するライナー１８が更に含まれる。図２は、接着剤の上に直接配置されたライナーを示しており、ライナーが１ヶ所以上にあり得ることを想像線にて更に示している。この特定の実施形態では、ライナーは、接着剤に近接して後ろ側パネルの外側の面に付着された、フラップの形態である。物品が掲示モードにある時、ライナーは、接着剤を覆わなくするために、後ろ側パネルの外側の面とほぼ同一線上に配置されることがある。消費者は、物品の掲示をもはや望まない時、フラップを接着剤区域の上に折り曲げて、接着剤を露出せずに物品を格納又は保管することができる。接着剤は、物品の一部の上とすることができ、又は後ろ側パネルの外側の面のほぼ全面を覆うことができる。限定する訳ではないがストライプなどの形式で接着剤を物品の一部上に有することの１つの利点は、壁などの掲示面に物品を容易に取り付け及びこれから取り外しできることである。図２には、上継ぎ目２２ａから離れた１つのストライプの形態の接着剤が示されているが、複数のストライプが、様々に異なる向きで使用可能である。別の実施形態では、接着剤は、例えば分離した島（discrete islands）などの、分離部分の形態でコーティングが可能である。
【００１７】
図３は、別の実施形態の斜視図を示しており、物品３０が、上継ぎ目４２ａを形成する上周辺に沿って、下継ぎ目４２ｂを形成する下周辺に沿って、並びに側継ぎ目４２ｃ及び４２ｄを形成する側周辺に沿って後ろ側パネル３４に接合された、前側パネル３２を有する。開口部４０が、前側パネル内に配置されている。２つのストライプ状ライナー３８が、接着剤のストライプ（図示せず）を保護している。物品は、より多くの内容物が中に保管される時に拡張を可能にする、ガセット４４も含む。この特定の実施形態では、開口部を無視すれば、前側パネルと後ろ側パネルは、形状が実質的に類似であり、両方とも矩形である。開口部は、不規則形状である。
【００１８】
図３の物品には、表裏をなす第一及び第二の面４１ａ及び４１ｂそれぞれを有する、部分的に剥がれて示されるラベル４１が更に含まれる。ラベルの第一面は、位置換え可能な接着剤を含む。ラベルの第二面は、筆記可能及び／又は描画可能である。使用に際して、消費者は、開口部の封止を望む時、ラベルを剥がして開口部の上に配置することができる。接着剤の位置換えが可能であるので、ユーザーは、必要な時に、開口部の再開放及び再封止をすることができる。その上、開口部用に使用される接着剤は、ラベルの周辺部では粘着性であるが、ラベルの中心では実質的に非粘着性の構成にすることができ、その結果、物品内の書類が、露出されている接着剤に間違って粘着することがない。例証となる接着剤が、米国特許公開ＵＳ２００５／０１７０１７４及びＰＣＴ国際公開特許ＷＯ２００５／０７７６７２にて開示され、両特許とも本特許と同一の譲受人に譲渡されている。別の代表的な構成は、ラベルの周辺部近辺に水平ストライプの位置換え可能な接着剤を有して、開口部を覆うことになるラベルの部分には実質的に接着剤が無いラベルが含まれる。
【００１９】
図４は、別の実施形態の前側平面図を示しており、物品５０が複数のポケットを有する。物品は、円の形体の前側パネル５２を有する。前側パネルは、円周に沿って外部継ぎ目６２で後ろ側パネル（図示せず）に接合されている。物品は、前側パネルを二分する内部継ぎ目６６を更に含み、内部継ぎ目が、前側と後ろ側のパネルを付着させて、実質的に等しい２つのポケット５１及び５３を作り出し、それぞれがそれ自体の開口部６０及び６１を有する。内部継ぎ目は、前側パネルの内側面が後ろ側パネルの内側面に近接するように、パネルを接合する。この実施形態では、内部継ぎ目が前側パネルを完全に二分しないので、ポケットは、部分的に囲まれている。また、この実施形態では、開口部は不規則形状である。物品５０は、円の直径に一致する長軸を有する。各ポケットはまた、円の直径よりも短い寸法である長軸と、Ｌ５１として示される短軸とを有する。この特定の実施形態では、開口部の長軸は、ポケットの長軸及び短軸よりも短い。
【００２０】
図５は、別の実施形態の斜視図であり、物品７０に複数のポケットが含まれる。物品７０は、上継ぎ目７６ａを形成する上周辺において、下継ぎ目７６ｂを形成する下周辺において、及び側継ぎ目７６ｃを形成する側周辺において後ろ側パネル７４に接合された、前側パネル７２を含む。図５には１つの参照番号７６ｃしか示されていないが、側継ぎ目が物品の左手及び右手の両側に存在することを当業者は理解するであろう。この実施形態では、前側及び後ろ側のパネルは、ほぼ正方形である。
【００２１】
物品には、相互に対してほぼ直交して配置された内部継ぎ目８４及び８６が更に含まれる。内部継ぎ目は、前側と後ろ側のパネルを付着させて、実質的に等しい４つのポケット７１、７３、７５、及び７７を作り出しており、各ポケットが、それ自体の開口部８０、８１、８２、及び８３それぞれを有する。内部継ぎ目が前側及び後ろ側のパネルの全長及び全幅を二分するので、ポケットは完全に囲まれている。開口部は、ジッパー、フック・ループ式ファスナー、又はジップロック（Ziploc：登録商標）バッグで普通に使用されているポリマー系のジップ・ロック型ファスナーなどの機械的手段を使用して、自己封止可能である。所望の場合、内部継ぎ目が穿孔されていてもよい。穿孔に沿って引き裂くことにより、消費者は、保管のため又は他の用途のために、より小さい設置面積を有する、複数の物品を作り出すことができる。
【００２２】
引き続いて図５に関して、開口部８０は、不規則形状である。開口部８１が、概略的にジッパーとして示されており、実質的に閉止位置にある。開口部８２が、部分的に開放位置で示される。開口部８３が、完全に開放位置で示される。この実施形態には、前側と後ろ側のパネルの間に配置された及び前側と後ろ側のパネルを側継ぎ目７６ｃにおいて、連続的に接合するガセット８７が更に含まれており、ガセットにより、使用の際のポケットの拡大が可能になる。側部ガセットが示されているが、物品の上及び下周辺上にガセットを使用することは、本発明の範囲内である。ライナー８８と共に接着剤の２つのストライプ（図示せず）が、後ろ側パネルの外側の面上に設けられて、所望の基材への付着を可能にしている。
【００２３】
図６は、別の実施形態の前側平面図を示しており、物品１００が異なる寸法の複数のポケットを含む。物品１００は、上継ぎ目１０２ａを形成する上周辺において、下継ぎ目１０２ｂを形成する下周辺において、及び側継ぎ目１０２ｃを形成する側周辺において後ろ側パネル（図示せず）に連続的に接合された、前側パネル１０２を含む。前側及び後ろ側のパネルは、ほぼ矩形である。物品は、相互に対してほぼ直交して配置された内部継ぎ目１２６及び１２８、内部継ぎ目１２８に対して直交して配置された内部継ぎ目１３２、並びに内部継ぎ目１３２に対して直交して配置された内部継ぎ目１３０を更に含む。内部継ぎ目は、完全に囲まれたポケット１０１、１０６、１１２、１１６、及び１２２を形成しており、それぞれがそれ自体の開口部１０４、１０８、１１４、１１８、及び１２４を有する。示されるように、開口部は、変化する寸法であって、異なる寸法の書類を収容する。物品１００は、長軸Ｌ１００を含む。各ポケットの各開口部は、物品の長軸Ｌ１００より短い寸法を有する長軸を含む。説明のためにポケット１０１を取り上げると、長軸Ｌ１０１及び短軸Ｗ１０１を有する。開口部１０４は、物品の長軸Ｌ１００よりも短い、及びポケットの長軸Ｌ１０１よりも短い、及びポケットの短軸Ｗ１０１以上の、長軸Ｌ１０４を有する。ポケットには、手紙１１０又は領収書１２０などの書類を保管及び整理することができる。この特定の実施形態では、一般的なカレンダー１０３が、物品の一部にされて、物品が使用される時に、更なる解決策及び利便性を消費者に提供することができる。物品には、固定手段１４０が更に含まれており、所望の場合、消費者は、物品を折り畳んでその設置面積を減少させて、容易な輸送を可能にすることができる。
【００２４】
図７ａ〜７ｃは、折り畳み形態に移行中の図６の実施形態の斜視図を示す。図７ａでは、物品１００が、実質的に開いた状態にあって、実質的に等しい２つの半分体に分割されている。図７ｂでは、物品１００が折り曲げられて、殆ど閉じた状態にある。図７ｃでは、物品１００は完全に閉じた状態にあって、固定手段１４０が後ろ側パネルの外側の面の上に折り曲げられている。物品を固定するのに有用な１つの手段は、フックとループの組合わせであり、フック又はループの部分が部分１４０上に配置され、噛み合うフック又はループが後ろ側パネルの外側の面上に配置される。固定するのに有用な他の手段には、物品の２つの半分体を共に結びつける位置換え可能な接着剤、ジッパー又はリボン、ヤーン、糸などの他の機械的締結具の使用が挙げられる。
【００２５】
図８は、別の実施形態の斜視図であって、パッド９０を形成する複数の物品の積み重ねが示されている。理解を容易にするために、第一の物品９１及び続く第二の物品９６の最上位の２つの物品だけが、詳細に示される。第一の物品９１は、上継ぎ目９２ａを形成する上周辺において、下継ぎ目９２ｂを形成する下周辺において、及び側継ぎ目９２ｃを形成する側周辺において後ろ側パネル９４に連続的に接合された、前側パネル９２を含む。第一の物品は開口部９３を含む。前側及び後ろ側の両パネル並びに開口部は、単純幾何形状であって、それぞれ矩形及び長円である。第一の物品には、後ろ側パネル上であって上継ぎ目近辺に配置された接着剤９５が更に含まれる。第二の物品９６もまた、上、下、及び側継ぎ目をそれぞれ形成する上、下、及び側周辺において後ろ側パネル（図示せず）に連続的に接合された、前側パネル９８を含む。第二の物品は、開口部９７を更に含む。物品のパッド９０は、第一の物品９１の接着剤９５を有する後ろ側パネル９４が第二の物品９６の前側パネル９８に直接接触するような具合に形成される。このような実施形態では、物品の前側パネルが剥離剤を更に含み、１つの物品の接着剤が次の物品からきれいに及び比較的容易に剥離されるようになっているのが好ましい。図８には形状が実質的に類似する、すなわち両方とも矩形であって長円開口部を有する第一及び第二の物品が示されているが、異なる形状の開口部を伴う異なる形状の物品を有することも本発明の範囲内である。例えば、第一の物品がある寸法の矩形である際に、第二の物品は、やはり矩形であっても異なる寸法を有することができ、又は全く異なる形状にすることができる。
【００２６】
図９は、別の実施形態の断面図であり、パッド１５０は交互に積み重ねられた複数の物品が含まれ、接着剤がパッドの一端部においてではなく交互端部に積み重ねられた構成になっている。そのような積み重ね配置は、「Ｚ」積み重ねと普通は呼ばれている。見られるように、接着剤１６６を有する第一の物品１６０は、パッドの第一の端部において積み重ねられているのに、接着剤１７６を有する第二の物品１７０は、パッドの反対側端部に積み重ねられる。
【００２７】
所望の場合、前側及び後ろ側のパネルの少なくとも１つは、美術的表現又は機能的実用性を有する物品を作り出すための、又は美的目的のための図形又は他のしるしを包含することができる。例えば、図４の実施形態では、前側パネルが、若い消費者を引き付けるために、目を形成する開口部が付いた顔を形成する象形を包含することができる。図６に示されるように、カレンダー又は「やるべきこと」リストを前側パネルに描くことができ、あるいは個々のポケットにラベルが貼られて、ポケット内の内容物を識別することができる。例として、消費者がある期間は保持することを望む様々な書類を整理するのを助けるために、個々のポケットに、「領収書」、「支払い請求書」、「切符」などのようなラベルを貼ることもできる。
【００２８】
様々な材料が、前側及び後ろ側のパネルとして使用可能である。一実施形態では、前側と後ろ側のパネルは、同一材料のものか、又はほぼ類似の材料のものである。別の実施形態では、前側と後ろ側のパネルは、異なる材料のものである。前側及び後ろ側のパネル用に好適な材料には、紙、プラスチック、キャンバス、不織布、布地、及び金属系フィルムが挙げられるが、これらに限定されない。これらの材料の組合わせが使用可能である。一実施形態では、前側及び／又は後ろ側パネルの一部は、透明として窓を用意し、これにより消費者が物品内部の内容物を観察可能にすることができる。パネル用に有用な代表的材料には、米国特許第６，２５１，５１２号（グスタフソン（Gustafson）ら）にて開示された、筆記可能なつや消し物品が挙げられる。
【００２９】
消費者が物品を視覚的に整理するのを助けるために、物品の前側及び／又は後ろ側パネルの一部上に、カラーコードを付加することができる。例えば、１週間の異なる日に対して、又は物品内に保管された異なるタイプの書類に対して、異なる色を使用することができる。本発明の物品は、物品の周辺に沿ってどこにでも接着剤で又は機械的に付着可能なタブを更に包含することもできる。このようなタブは、消費者が物品をファイリングシステム中へ格納又は保管することを意図する時に、有用であり得る。
【００３０】
前側と後ろ側のパネルは、周辺に沿って様々な方法を使用して共に接合される。選択される方法は、使用される材料のタイプによって決まる。前側と後ろ側のパネルの接合は、パネルの周辺を通して連続である必要は無い。好適な方法には、接着手段、機械的締結手段、超音波溶接手段、積層手段、及び縫い手段が挙げられるが、これらに限定されない。これらの方法の組合わせも使用可能である。例えば、接着手段は、非常に用途が広く、前側と後ろ側のパネルが同一材料のものである時に、又は異なる材料のものである時に、使用可能である。接着手段には、両面テープのようなテープ、糊のような液状接着剤、糊スティックのような固体接着剤などが挙げられるが、これらに限定されない。超音波溶接手段は、プラスチック及び不織布に対してよりことさら適する。超音波溶接手段は典型的には、前側と後ろ側のパネルに局所的なスポット溶接を作り出しており、その結果、全体的にはパネルが接合されているが、全周辺に沿う連続的な接合ではない。縫い手段は、キャンバス及び布地に対して更に特に適する。例証となる機械的締結手段がフックとループの組合わせであれば、フックを１つのパネル上に配置して、ループを他方のパネルに配置することが可能である。積層手段は一般に、熱及び／又は圧力を使用して前側と後ろ側のパネルを付着させることを指す。積層手段は、不織布に対して、特に、不織布繊維が複数種の異なるポリマー構成成分を含有して、構成成分の１種が高い温度及び圧力において接着特性を呈する場合に、特に適している。
【００３１】
接着剤が、後ろ側パネルの外側の面上に配置される。いずれかの恒久的又は位置換え可能な接着剤が、本発明において使用可能である。種々の位置換え可能な接着剤が使用できる。好適な位置換え可能な接着剤が、米国特許第３，６９１，１４０号（シルバー（Silver））；同第３，８５７，７３１号（メリル（Merrill）ら）；同第４，１６６，１５２号（ベイカー（Baker）ら）；同第４，４９５，３１８号（ホワード（Howard））；同第５，０４５，５６９号（デルガド（Delgado））；同第５，０７３，４５７号（ブラックウェル（Blackwell））及び同第５，５７１，６１７号（コオプリダー（Cooprider）ら）、同第５，６６３，２４１号（タカマツ（Takamatsu）ら）；同第５，７１４，２３７号（コオプリダー（Cooprider）ら）；米国再発行特許第３７，５６３号（コオプリダー（Cooprider）ら）；並びに同第５，７５６，６２５号（クランダール（Crandall）ら）及び同第５，８２４，７４８号（ケスティ（（Kesti）ら）にて開示されている。位置換え可能な接着剤は、溶媒系、水系にすることができ、又は溶媒無しのホットメルト接着剤にすることができる。
【００３２】
接着剤は、いかなる形状にても後ろ側パネルの外側の面上にコーティングすることができる。例えば、後ろ側パネルは、全面に接着剤をコーティングされた又は部分的に接着剤をコーティングされた外側の面を包含することができる。部分的にコーティングされた好適な形状には、接着剤のストライプ、接着剤の分離島、又は接着剤のパッチが挙げられるが、これらに限定されない。接着剤コーティングの形状のタイプは、使用される接着剤のタイプ、本発明物品の寸法、及びある程度は、掲示面によって決まる。
【００３３】
貼付するまで位置換え可能な接着剤を保護するために、ライナーが使用される。ライナーは、貯蔵中に位置換え可能な接着剤に確実に固着している、いかなる紙又はプラスチックシートにもすることができる。ライナーは、位置換え可能な接着剤からきれいに及び容易に剥離する。ライナーは、剥離コーティングで処理されて、所望の剥離性能を達成してもよい。好適なシリコーン系剥離ライナーが、イリノイ州ウィロウブルック（Willowbrook, IL）のロパレックス社（Loparex, Inc.）から購入可能である。
【００３４】
本発明物品は、様々な方法で製造することができる。例証となる１つの方法では、前側パネルが任意に剥離剤をコーティングされて、及びプレカットされた開口部を有して、前側及び後ろ側のパネルが用意される。所望の場合、美術的若しくは機能的表現又は美的実用性を付加するために、図形及びしるしが、前側パネルの外側の面上にプレプリントされる。後ろ側パネルの外側の面上では、接着剤が後ろ側パネルにコーティングされる。任意に、ライナーが接着剤に積層される。前側と後ろ側のパネルが、パネルの周辺に沿って連続的に接合されて、本発明物品を形成する。
【００３５】
パッドの場合には、包囲体が、前の段落で説明された個々の物品とほぼ同じ方法で製造される。ライナーが、パッド内の最後の包囲体に対して使用される。一実施形態では、ライナーは、後ろ側パネルの外側の面のほぼ全体を覆う。
【００３６】
図１０は、物品２３０を製造する、例証となる１つの方法を概略的に示す。その方法には、第一のパネル２１２を用意する工程が含まれ、これはこの特定の実施形態では、上縁部２２２ａ、対向する下縁部２２２ｂ、第一の側縁部２２２ｃ、及び第二の側縁部２２２ｄが境界を定める周辺により画定される、ほぼ正方形の幾何形状を有する。本明細書で使用されるとき、用語「上」及び「下」は、相対的な位置を示す。第一のパネルには、プレカット開口部２１０が含まれる。開口部は、不規則形状を有しており、１つの縁部が、上縁部２２２ａにほぼ平行であって、これから距離ｄ１の間隔にある。第一のパネルは、外側の面２１２ｂ及び表裏をなす内側の面（図示せず）を有する。方法には、第二のパネル２１４を用意することが更に含まれ、これは内側の面２１４ｂを有して、第一のパネルに実質的に類似する形状を有する。第一のパネルと同様に、第二のパネルは、上縁部２２４ａ、対向する下縁部２２４ｂ、並びに第一及び第二の側縁部それぞれ２２４ｃ及び２２４ｄが境界を定める、周辺を有する。第二のパネルには、第一と第二のパネルを共に付着するための手段が更に含まれ、接着手段、機械的手段、超音波溶接手段、積層手段、縫い手段、及びこれらの組み合わせなどがある。この実施形態では、２つのパネルを付着するための手段として、接着剤２２６が使用される。接着剤は、周辺に沿って配置されたストリップの形体である。上縁部２２４ａ近辺に配置されたストリップは、寸法ｄ２を有する。一実施形態では、ｄ１が実質的にｄ２に等しく、前側パネルの開口部２１０と上縁部２２２ａの間の部分が固定されるようになっている。
【００３７】
付着のための手段は、第一又は第二のパネルのいずれかの上に存在することができ、あるいは超音波溶接の場合のように、第一と第二のパネルの融合とすることもできる。接着手段は、例えば、感圧性接着剤又はホットメルト接着剤が含まれることがあり、及び恒久的接着剤、転移テープ、両面テープ、位置換え可能な接着剤などの形態にすることができる。機械的手段には、例えばフック・ループ取付けシステムが含まれることがある。縫い手段は、第一及び第二のパネルがキャンバス又は他の布地である場合に、特に適切である。図１０には周辺に沿って連続的に配置された接着剤２２６が示されているが、他の実施形態では、不連続手段が好適である。例えば、超音波溶接手段の場合、超音波エネルギーが第一と第二のパネルを共にスポット溶接するのが典型的であるので、２つのパネルの取付けは、全周辺に沿って連続でないことがある。使用されるパネル取付け手段は、書類及び他の資料を保持するためのポケットを形成する限り、本発明での使用には好適であろう。
【００３８】
その方法には、第一のパネルの側縁部２２２ｃ及び２２２ｄが第二のパネルの側縁部２２４ｃ及び２２４ｄと一致するように、第一と第二のパネルを共に周辺に沿って付着することが含まれる。同様に、第一のパネルの上及び下縁部２２２ａ及び２２２ｂが、第二のパネルの上及び下縁部２２４ａ及び２２４ｂそれぞれに一致する。２つのパネルは、両パネルの内側の面が相互に近接するように、付着される。
【００３９】
図１１は、物品２６０を製造する、別の例証となる方法を概略的に示す。その方法には、想像線２４６にて接合された第一及び第二のパネル２４２及び２４４を有する、シート材料２４０を用意する工程が含まれる。２つのパネルは、寸法が実質的に等しく、及びその周辺により画定されるほぼ同一の形状を有する。第一のパネルは、表裏をなす内側及び外側の面２４２ａ及び２４２ｂそれぞれを有する。同様に、第二のパネルは、表裏をなす内側及び外側の面２４４ａ及び２４４ｂそれぞれを有する。第一のパネルは、プレカット開口部２６２を更に含む。開口部は、不規則形状を有しており、１つの縁部が、上縁部２４３ａにほぼ平行であって、これから距離ｄ３離れた間隔にある。第一のパネルは、上縁部２４３ａと対向する第一及び第二の縁部２４３ｃ及び２４３ｄにより結ばれる第一の周辺を有する。同様に、第二のパネルは、上縁部２４５ａと対向する第一及び第二の側縁部２４５ｃ及び２４５ｄとにより結ばれる第二の周辺を有する。第二のパネルには、一般に接着剤２４８として示される、両パネルを共に付着させるための手段が更に含まれる。接着剤は、上縁部２４５ａと側縁部２４５ｃ及び２４５ｄにおいて概ね周辺に沿って配置されたストライプの形態である。一実施形態では、上縁部２４５ａ近辺の接着剤ストライプは、寸法ｄ４を有しており、これはｄ３にほぼ等しい。したがって、２つのパネルが付着される時、第一のパネルの概ねｄ３により示される部分が固定される。図１０を参照して列挙された手段が、この実施形態において使用可能である。方法は、第一と第二のパネルの周辺が一致して、第一のパネルの内側の面２４２ａが第二のパネルの内側の面２４４ａに近接して置かれるように、シート材料を想像線２４６に概ね沿って折り曲げる工程を更に含む。物品は、２４６にて共通縁部を共有しており、これが両パネルの下縁部として働く。
【００４０】
切断工程は、プロセスに沿ういかなる時にも実施することができる。例えば、第一のパネルは、プレカットが可能、折り曲げ工程前の切断が可能、又は第一と第二のパネルが付着された後の切断が可能である。用いられる切断方法は、パネル用に使用される材料に適合性を有すべきである。例えば、紙、プラスチック、キャンバス、又は他の布地材料に好適な方法は、ダイカット加工である。
【００４１】
図１２は、物品３００を製造する、別の例証となる方法を概略的に示す。その方法は、第一及び第二のパネル２８２及び２８４を有して、想像線２８６にて接合された、シート材料２８０を用意する工程を含む。第一のパネルの周辺は、上縁部２８３ａと対向する第一及び第二の縁部２８３ｃ及び２８３ｄにより結ばれる。同様に、第二のパネルの周辺は、上縁部２８５ａと対向する第一及び第二の側縁部２８５ｃ及び２８５ｄにより結ばれる。第一のパネルは、表裏をなす内側及び外側の面２８２ａおよび２８２ｂを有する。同様に、第二のパネルは、内側及び外側の面２８４ａおよび２８４ｂを有する。第一のパネルには、一般にフラップ２８８として示される、両パネルを共に付着させるための手段が更に含まれる。フラップは、縁部２８３ａ、２８３ｃ、及び２８３ｄに沿って周辺に配置されており、並びに表裏をなす第一及び第二の面２８８ａ及び２８８ｂそれぞれを有する。図１０を参照して列挙された手段が、フラップ上で使用可能である。この場合、取付けに特に好適な手段には接着剤及び機械的手段が含まれ、これをフラップに適用することができる。方法は、第一と第二のパネルの周辺が概ね位置合わせして、第一のパネルの内側の面２８２ａが第二のパネルの内側の面２８４ａに近接して置かれるように、シート材料を想像線２８６に概ね沿って折り曲げる工程を更に含む。フラップは、次に、接着剤を有する第一の側２８８ａが外側の面２８４ｂに直接接触するように、第二のパネルに巻き付けられて付着される。方法は、第一のパネルを線２９０として全体的に示されるように切って自由縁部３０４を作り出すことを更に含み、これが次に第二のパネルの内側の面２８４ａに付着されて、開口部３０２を作り出す。
【００４２】
図１０、１１、及び１２を参照して、物品が組み立てられると、第一のパネルの外側の面２１２ｂ、２４２ｂ、及び２８２ｂは、ユーザーに対して使いやすくなっている。第二のパネルの外側の面２１４ｂ、２４４ｂ、及び２８４ｂ上に位置換え可能な接着剤を適用することを、方法は更に含む。所望の場合、ライナーを追加して、位置換え可能な接着剤を保護することができる。あるいは、１つの物品を他の上に積み重ねることによって物品のパッドを製造して、１つの物品の位置換え可能な接着剤を次の物品の第一のパネルの外側の面に接触させるようにすることができる。
【００４３】
図１３は、複数のポケットを有するが物品の全設置面積を最小限にする物品を製造する、別の例証となる方法を概略的に示している。その方法は、表裏をなす内側（図示せず）及び外側の面３１２ｂを有して、少なくとも上縁部３１３ａと側縁部３１３ｃ及び３１３ｄが結ぶ周辺により画定される形状を有する、第一のパネル３１２を用意する工程を含む。方法には、表裏をなす外側（図示せず）及び内側の面３１４ａを有して、少なくとも上縁部３１５ａと側縁部３１５ｃ及び３１５ｄが結ぶ周辺により画定される形状を有する、第二のパネル３１４を用意する工程が含まれる。第一及び第二のパネルは、実質的に類似する寸法及び形状である。方法は、第一のパネルに開口部３１８を切り込むことを含む。第一と第二のパネルは、内側の面が互いに近接するように、周辺に沿って共に付着される。方法には、第三のパネル３２０を用意する工程が更に含まれる。第三のパネルは、第一及び第二のパネルよりも小さいが、第一のパネルの幅すなわち側縁部３１３ｃと３１３ｄの間の距離と同一の、幅すなわち側縁部３２３ｃと３２３ｄの間の距離を有する。第三のパネルは、側縁部３１３ｃ、３２３ｃ、及び３１３ｄ、３２３ｄと下縁部（理解を容易にするために参照番号は付けず）が一致して、第三のパネルと第一のパネルの外側の面とにより作り出される第二の包囲体（すなわち、付加ポケット）を形成するように、第一のパネルに付着される。第三のパネルには、第二の開口部３２８が含まれる。図１３には、第三のパネル３２０に付着されて第二の付加ポケットを作り出す、第四のパネル３４０も示されている。この特定の実施形態における様々なパネルはほぼ同一の幅を有しているが、本発明は、異なる寸法及び異なる形状のパネルで実施可能である。例えば、概ね正方形の第一及び第二のパネルを、円形の第三のパネルと共に使用することができ、及び次のパネルを更に異なる形状にすることができる。
【００４４】
図１４は、物品３５０に組み立てられた、図３の様々なパネルを示しており、物品３５０が第一のパネルの外側の面３１２ｂを有する主ポケット３５２を有している。主ポケットは、第一の開口部３５４を有する。第二の開口部３５６を有する第一の付加ポケット３５５が、主ポケットに付着されており、及び第三の開口部３６０を有する第二の付加ポケット３５８が、第一の付加ポケットに付着されている。
【００４５】
本発明は、図面を参照して更に説明することができる。
【００４６】
図面は、観念的なものであって、寸法に従って描かれておらず、例証としての目的をのみ意図される。
【図面の簡単な説明】
【００４７】
【図１】資料を保管及び整理するための、本発明に従う物品の一実施形態の前側平面図。
【図２】図１の実施形態の、線２−２に沿って見る断面図。
【図３】本発明の別の実施形態の斜視図。
【図４】部分的に囲まれた２つのポケットを示す、本発明の別の実施形態の前側平面図。
【図５】完全に囲まれた４つのポケットを示す、本発明の別の実施形態の斜視図。
【図６】異なる寸法の複数のポケットを示す、本発明の別の実施形態の前側平面図。
【図７ａ】様々な折り畳み段階にある、図６の実施形態の斜視図。
【図７ｂ】様々な折り畳み段階にある、図６の実施形態の斜視図。
【図７ｃ】様々な折り畳み段階にある、図６の実施形態の斜視図。
【図８】資料を保管及び整理するための本発明に従う物品のパッドを示す、本発明の別の実施形態の斜視図。
【図９】物品のＺ積み重ね構成のパッドを示す、本発明の別の実施形態の側面図。
【図１０】本発明の例証となる方法の概略図。
【図１１】本発明の例証となる別の方法の概略図。
【図１２】本発明の例証となる別の方法の概略図。
【図１３】本発明の例証となる別の方法の概略図。
【図１４】複数のポケットが積み重ねられた、本発明の例証となる別の実施形態の斜視図。
【図１】
2009519850.tif 000003
【図２】
2009519850.tif 000004
【図３】
2009519850.tif 000005
【図４】
2009519850.tif 000006
【図５】
2009519850.tif 000007
【図６】
2009519850.tif 000008
【図７ａ】
2009519850.tif 000009
【図７ｂ】
2009519850.tif 000010
【図７ｃ】
2009519850.tif 000011
【図８】
2009519850.tif 000012
2009519850.tif 000013
【図１０】
2009519850.tif 000014
【図１１】
2009519850.tif 000015
【図１２】
2009519850.tif 000016
【図１３】
2009519850.tif 000017
【図１４】
2009519850.tif 000018
【国際調査報告】
2009519850.tif 000019
2009519850.tif 000020